(57)【要約】【課題】被観察物の光学像を記録することができ、かつ暗視にも有利な電子双眼鏡の利点を活かしつつ、通常の電子双眼鏡の使用時に比べて電力消費量を低く抑えることが可能な電子双眼鏡を提供する。【解決手段】電源９０を備える。被観察物の光学像を撮像し光学像を電気信号に変換する両撮像素子１３Ｒ、１３Ｌを有する両撮像部１０Ｒ、１０Ｌを備える。電気信号に基づいて被観察物の光学像を表示する両表示素子３３Ｒ、３３Ｌを有する両接眼部３０Ｒ、３０Ｌを備える。電気信号を、両接眼部３０Ｒ、３０Ｌで観察できる画像信号に変換する両画像信号生成部５０Ｒ、５０Ｌを備える。両撮像部１０Ｒ、１０Ｌと両接眼部３０Ｒ、３０Ｌと両画像信号生成部５０Ｒ、５０Ｌの給電制御を行い、両画像信号生成部５０Ｒ、５０Ｌから画像信号を両接眼部３０Ｒ、３０Ｌに供給する制御部７０を備える。給電する部を選択するスイッチ接点を有するスイッチ部８０を備える。【選択図】  図５
2004361779.tif 000002
【特許請求の範囲】
【請求項１】
電源と、
一対の第１、第２撮像光学系によりそれぞれ得られる被観察物の第１、第２光学像を撮像し前記第１、第２光学像を第１、第２電気信号に変換する第１、第２撮像素子を有する第１、第２撮像部と、
前記第１、第２電気信号を、それぞれ第１、第２画像信号に変換する画像信号生成部と、
前記第１、第２画像信号に基づいて前記被観察物の画像を表示する第１、第２表示素子を有する第１、第２接眼部と、
前記電源、前記第１、第２撮像部、前記第１、第２接眼部および前記画像信号生成部を制御する制御手段とを備え、
前記制御手段は、前記電源から前記第２撮像部への給電を停止させ、前記第１画像信号を、前記第１、第２接眼部の第１、第２表示素子に供給することが可能であることを特徴とする電子双眼鏡。
【請求項２】
前記制御手段は、前記第２接眼部への給電を停止させることがさらに可能である、請求項１に記載の電子双眼鏡。
【請求項３】
前記画像信号生成部は、前記第１電気信号を前記第１画像信号に変換する第１画像信号生成部と、前記第２電気信号を、前記第２画像信号に変換する第２画像信号生成部とを有し、
前記制御手段は、さらに前記電源から前記第２画像信号生成部への給電を停止させることを特徴とする請求項１に記載の電子双眼鏡。
【請求項４】
手動操作される操作部材を有し、前記制御手段は前記操作部材の操作状態に応じて、前記電源から第２撮像部への給電／非給電を制御することを特徴とする請求項１に記載の電子双眼鏡。
【請求項５】
電源と、
撮像光学系により得られる被観察物の光学像を撮像し前記光学像を電気信号に変換する撮像素子を有する撮像部と、
前記電気信号を、画像信号に変換する画像信号生成部と、
前記画像信号に基づいて前記被観察物の画像を表示する第１、第２表示素子を有する第１、第２接眼部と、
前記電源、前記撮像部、前記第１、第２接眼部および前記画像信号生成部を制御する制御手段とを備え、
前記制御手段は、前記電源から前記第２接眼部への給電を停止させることが可能であることを特徴とする電子双眼鏡。
【発明の詳細な説明】
【０００１】
【発明の属する技術分野】
本発明は、電子双眼鏡に関し、特に、消費電力を抑えるために改良した電子双眼鏡に関する。
【０００２】
【従来の技術】
記録媒体を通じて記録が可能で、暗視にも有利な電子双眼鏡が提案されている。電子双眼鏡は、主に、撮像光学系と、撮像光学系により得られる被観察物の光学像を電気信号に変換する撮像素子を有する撮像部と、撮像部で得られた電気信号を接眼部で観察できる画像信号に変換する画像信号生成部と、画像信号に基づいて画像を表示する表示素子を有する接眼部とで構成される。
【０００３】
ＣＣＤ等の撮像素子や、ＬＣＤ等の表示素子は、いずれも電力を消費する。また、撮像部からの電気信号を接眼部で観察できる画像信号に変換あるいは記録媒体に記録できる画像信号に変換を行う画像信号生成部も電力を消費する。
【０００４】
このような電子双眼鏡において、長時間の使用が耐えうるには、（１）電力消費量を低く抑える、（２）電力の大量消費に耐えうるのに十分な大容量の電源、すなわち大型電源を用意するかの２通りが考えられる。
【０００５】
特許文献１は、従来の双眼鏡にあるような対物レンズ及び接眼レンズを有する観察光学系を一対備える双眼光学系に加えて、別途、電気的に記録が可能な撮像素子などを備えた電子双眼鏡を開示する。この発明によれば、被観察物の撮像を行うための撮像部や接眼部などは電力を消費するが、それとは別に通常の双眼鏡が有する双眼光学系を備えているため、電力を消費せずに双眼光学系で被観察像を観察することが可能である。
【０００６】
【特許文献１】
特開２００１−２８１５５５号公報
【０００７】
【発明が解決しようとする課題】
しかし、この発明では、従来の双眼光学系に加えて、電子双眼鏡を構成する必要があり、構造が複雑になる。また、被観察物の撮像を行う撮像部は従来の双眼光学系の中間に１つ配置されるため、撮像部にて撮像された像を双眼でモニターできず、暗視にも不向きであるため、電子双眼鏡のメリットを活かせていない。
【０００８】
本発明の目的は、電子双眼鏡の利点を活かしつつ、通常の電子双眼鏡の使用時に比べて電力消費量を低く抑えることが可能な電子双眼鏡を提供することである。
【０００９】
【課題を解決するための手段】
前記目的を達成するため、本発明の第１の電子双眼鏡は  電源と、一対の第１、第２撮像光学系によりそれぞれ得られる被観察物の第１、第２光学像を撮像し第１、第２光学像を第１、第２電気信号に変換する第１、第２撮像素子を有する第１、第２撮像部と、第１、第２電気信号を、それぞれ第１、第２画像信号に変換する画像信号生成部と、第１、第２画像信号に基づいて被観察物の画像を表示する第１、第２表示素子を有する第１、第２接眼部と、電源、第１、第２撮像部、第１、第２接眼部および画像信号生成部を制御する制御手段とを備え、制御手段は、電源から第２撮像部への給電を停止させ、第１画像信号を、第１、第２接眼部の第１、第２表示素子に供給することが可能であることを特徴とする。
【００１０】
また、本発明の第２の電子双眼鏡は、電源と、撮像光学系により得られる被観察物の光学像を撮像し光学像を電気信号に変換する撮像素子を有する撮像部と、電気信号を、画像信号に変換する画像信号生成部と、画像信号に基づいて被観察物の画像を表示する第１、第２表示素子を有する第１、第２接眼部と、電源、撮像部、第１、第２接眼部および画像信号生成部を制御する制御手段とを備え、制御手段は、電源から第２接眼部への給電を停止させることが可能であることを特徴とする。
【００１１】
【発明の実施の形態】
電子双眼鏡に係る本発明の第１の実施形態を説明する。図１〜８に示すように、第１の実施形態にかかる電子双眼鏡は、電源９０と、両撮像ユニット１Ｒ、１Ｌと、制御部７０と、スイッチ部８０とを有する。両撮像ユニット１Ｒ、１Ｌは左右のユニットで同一構成であり、それぞれは撮像部１０Ｒ、１０Ｌと、接眼部３０Ｒ、３０Ｌと、画像信号生成部５０Ｒ、５０Ｌとを有する。両撮像ユニット１Ｒ、１Ｌは、連結機構を介して互いの撮像光学系の光軸間距離が任意調整できるように連結されている。
【００１２】
右撮像部１０Ｒは、撮像レンズ１１Ｒと、赤外線カットフィルタやローパスフィルタ等の各種フィルタ１２Ｒと、ＣＣＤ等の撮像素子１３Ｒとを有する。撮像素子１３Ｒは、撮像レンズ１１Ｒおよび各種フィルタ１２Ｒを介して拡大して投影された光学像を撮像し電気信号に変換する。右撮像部１０Ｒは、図示しない焦点調整機構を有してもよい。左撮像部１０Ｌも同様に、撮像レンズ１１Ｌ、各種フィルタ１２Ｌと撮像素子１３Ｌとを有する。
【００１３】
右接眼部３０Ｒは、制御部７０が供給した画像信号を表示するＬＣＤ等の表示素子３３Ｒと、接眼レンズ３１Ｒとを有し、観察者は接眼レンズを介して表示された画像を観察する。左接眼部３０Ｌも同様に、表示素子３３Ｌと接眼レンズ３１Ｌとを有する。
【００１４】
右画像信号生成部５０Ｒは、ドライバ５１Ｒと、相関二重サンプリング回路（ＣＤＳ：Ｃｏｒｒｅｌａｔｅｄ  Ｄｏｕｂｌｅ  Ｓａｍｐｌｉｎｇ）５２Ｒと、タイミングジェネレータ（ＴＧ）５３Ｒと、デジタルシグナルプロセッサ（ＤＳＰ）５４Ｒと、オートゲインコントローラ（ＡＧＣ）５５Ｒと、アナログデジタル変換器（ＡＤＣ）５６Ｒとを有しており、右撮像部１０Ｒで撮像し変換された電気信号を、右接眼部３０Ｒで観察できる画像信号に変換する。また、右画像信号生成部５０Ｒは図示しない外部記憶装置などに画像信号を変換する機能を有してもよい。左画像信号生成部５０Ｌも同様に、ドライバ５１Ｌと、相関二重サンプリング回路５２Ｌと、タイミングジェネレータ５３Ｌと、デジタルシグナルプロセッサ５４Ｌとアナログデジタル変換器５６Ｌとを有している。
【００１５】
制御部７０は、左右各部の動作を統括して制御するマイクロコンピュータであり、両画像信号生成部５０Ｒ、５０Ｌで変換された画像信号を両接眼部３０Ｒ、３０Ｌに供給する機能および電源９０から各部への給電制御を行う機能を有する。
【００１６】
また、制御部７０は、スイッチ部８０のスイッチ接点状態に基づいて左撮像部１０Ｌと左画像信号生成部５０Ｌと左接眼部３０Ｌに対して給電制御及び左接眼部３０Ｌに対して画像信号供給制御を行う機能を有する。
【００１７】
スイッチ部８０は、手動操作によりスライド可能な操作部材８０ａと、この操作部材８０ａの設置位置により選択的に通電されるスイッチ接点とを有し、観察者はこの操作部材８０ａを操作して、電源９０から給電する部を選択することができる。図３〜６は、操作部材８０ａを詳細に示したもので、図１、２は、“通常モード”、“省エネ▲１▼モード”、及び“省エネ▲２▼モード”を“ＯＮ”、“▲１▼”、及び“▲２▼”と省略している。観察者が操作部材８０ａを操作して、電源ＯＦＦの位置（図３参照）から通常モードを選択した場合（図４参照）、スイッチ部８０は、全部電源ＯＮ接点がＯＮ状態になり、これを制御部７０が検出し、通常モードであることを認識する（図７参照）。この場合、電子双眼鏡の全ての部について、すなわち両撮像部１０Ｒ、１０Ｌと両接眼部３０Ｒ、３０Ｌと両画像信号生成部５０Ｒ、５０Ｌと制御部７０について給電される。図８は、全ての部に給電されている電子双眼鏡の構成図である。
【００１８】
制御部７０によって、電源９０から各部への給電が行われた場合の、各部の動作を説明する。
【００１９】
右撮像レンズ１１Ｒ及び右各種フィルタ１２Ｒを介して得られる光学的被写体像は、右撮像素子１３Ｒの受光領域に結像され、右撮像素子１３Ｒにより一定時間蓄積された電荷である電気信号に光電変換される。右撮像素子１３Ｒの電荷蓄積時間は右ドライバ５１Ｒによって制御される。
【００２０】
光電変換された電気信号は、右相関二重サンプリング回路５２Ｒによりノイズ成分が低減され、右オートゲインコントローラ５５Ｒによりゲインが制御され、右アナログデジタル変換器５６Ｒによりデジタル信号に変換される。これらの動作は右タイミングジェネレータ５３Ｒが右ドライバ５１Ｒ及び右相関二重サンプリング回路５２Ｒに出力するクロックパルスに従って行われる。
【００２１】
変換されたデジタル信号は、右デジタルシグナルプロセッサ５４Ｒによりガンマ補正などの種々の画像処理が施される。
【００２２】
画像処理が施された画像信号、すなわち右画像信号生成部５０Ｒで変換された画像信号は、制御部７０により右接眼部３０Ｒにある右表示素子３３Ｒに供給される。
【００２３】
右表示素子３３Ｒは供給された画像信号を表示し、観察者は右目で、右接眼レンズ３１Ｒを介して表示された画像を観察する。
【００２４】
同時に、左撮像ユニット１Ｌも同様な動作が行われ、光学的被写体像について撮像が行われ、観察者は左目で画像を観察する。
【００２５】
操作部材８０ａを操作して、通常（ＯＮ）モードから省エネ▲１▼モードを選択した場合（図５参照）、スイッチ部８０は、全部電源ＯＮ接点はＯＮ状態のまま、さらに片側撮像部／片側画像信号生成部電源ＯＦＦ接点がＯＮ状態になり、これを制御部７０が検出し、省エネ▲１▼モードであることを認識する（図７参照）。この場合、電子双眼鏡のうち、例えば、左撮像ユニット１Ｌにおいては左接眼部３０Ｌを除く各部への電源供給が遮断される一方、右撮像ユニット１Ｒの各部と、制御部７０について給電される。図９は、この状態を示しており、給電されている部については実線で、給電されていない部については破線で示している。右画像信号生成部５０Ｒは、右撮像部１０Ｒからの電気信号を、画像信号に変換し、制御部７０は、右画像信号生成部５０Ｒが変換した画像信号を両接眼部３０Ｒ、３０Ｌに供給する。省エネ▲１▼モードにおいては、消費電力低減のために、左撮像ユニット１Ｌによる撮像動作及び画像信号生成動作が行われないが、右撮像部１０Ｒによって撮像された画像が右の撮像素子３３Ｒだけでなく、左撮像素子３３Ｌにも表示されるため、両目による観察ができ、観察時の違和感がなく、観察にともなう眼の疲労度も低減できる。
【００２６】
操作部材８０ａを操作して省エネ▲１▼モードの位置から省エネ▲２▼モードを選択した場合（図６参照）、スイッチ部８０は、全部電源ＯＮ接点はＯＮ状態のまま、今度は片側撮像部／片側画像信号生成部／片側接眼部電源ＯＦＦ接点がＯＮ状態になり、これを制御部７０が検出し、省エネ▲２▼モードであることを認識する（図７参照）。この場合、電子双眼鏡のうち、左撮像ユニット１Ｌの各部への電源供給が遮断される一方、右撮像ユニット１Ｒの各部と、制御部７０について給電される。図１０は、この状態を示しており、給電されている部については実線で、給電されていない部については、破線で示している。右画像信号生成部５０Ｒは、右撮像部１０Ｒからの電気信号を、画像信号に変換し、制御部７０は、右画像信号生成部５０Ｒが変換した画像信号を右接眼部３０Ｒに供給する。
【００２７】
これにより、観察者の選択で、左撮像部１０Ｌと左接眼部３０Ｌと左画像信号生成部５０Ｌへの給電及び左接眼部３０Ｌへの画像信号供給の制御を行うことが可能になり、両撮像部１０Ｒ、１０Ｌと両接眼部３０Ｒ、３０Ｌと両画像信号生成部５０Ｒ、５０Ｌとに給電される通常モードに比べて、電力消費量を抑える効果が得られる。
【００２８】
次に、第２の実施形態を説明する。図１１〜１４に示すように、第１の実施形態と異なるところは、画像信号生成部５０は単一で、両撮像部１０Ｒ、１０Ｌで得られた電気信号は、単一の画像信号生成部５０で、両接眼部３０Ｒ、３０Ｌで観察できる画像信号に変換する点である。従って、第２の実施形態にかかる電子双眼鏡は、両撮像ユニット２Ｒ、２Ｌと、画像信号生成部５０と、制御部７０と、スイッチ部８０とを有する。両撮像ユニット２Ｒ、２Ｌは、撮像部１０Ｒ、１０Ｌ及び接眼部３０Ｒ、３０Ｌとを有する。以下、第１の実施形態と異なる点のみを説明する。
【００２９】
画像信号生成部５０の構成は、第１の実施形態と同じであり、単一の画像信号生成部５０が、両撮像部１０Ｒ、１０Ｌで変換された電気信号を、両接眼部３０Ｒ、３０Ｌで観察できる画像信号に変換する点で、左右の画像信号生成部が左右それぞれの電気信号の変換を行う第１の実施形態と異なる。
【００３０】
制御部７０の構成は、第１の実施形態と同じであり、単一の画像信号生成部５０で変換された左右の画像信号を両接眼部３０Ｒ、３０Ｌに供給する機能を有する点で、制御部が、左右の画像信号生成部のそれぞれで変換された画像信号を、左右それぞれの接眼部に供給する第１の実施形態と異なる。
【００３１】
また、制御部７０は、スイッチ部８０のスイッチ接点状態に基づいて左撮像部１０Ｌと左接眼部３０Ｌに対して給電制御及び左接眼部３０Ｌに対して画像信号供給制御を行う機能を有する。
【００３２】
スイッチ部８０の構成は、第１の実施形態と同じである。観察者が操作部材８０ａを操作して、電源ＯＦＦの位置から通常モードを選択した場合、スイッチ部８０は、全部電源ＯＮ接点がＯＮ状態になり、これを制御部７０が検出し、通常モードであることを認識する（図１１参照）。この場合、電子双眼鏡の全ての部について、すなわち両撮像部１０Ｒ、１０Ｌと両接眼部３０Ｒ、３０Ｌと画像信号生成部５０と制御部７０について給電される。図１２は、全ての部に給電されている電子双眼鏡の構成図である。
【００３３】
制御部７０によって、電源９０から各部への給電が行われた場合の、各部の動作は、単一の画像信号生成部５０が、両撮像部１０Ｒ、１０Ｌにおいて撮像された電気信号を画像信号に変換する点が異なる他は、第１の実施形態と同様である。
【００３４】
操作部材８０ａを操作して、通常（ＯＮ）モードから省エネ▲１▼モードを選択した場合、スイッチ部８０は、全部電源ＯＮ接点はＯＮ状態のまま、さらに片側撮像部電源ＯＦＦ接点がＯＮ状態になり、これを制御部７０が検出し、省エネ▲１▼モードであることを認識する（図１１参照）。この場合、電子双眼鏡のうち、例えば、左撮像ユニット２Ｌにおいては左撮像部１０Ｌへの電源供給が遮断される一方、右撮像ユニット２Ｒの各部と、画像信号生成部５０と、制御部７０について給電される。図１３は、この状態を示しており、給電されている部については実線で、給電されていない部については破線で示している。画像信号生成部５０は、右撮像部１０Ｒからの電気信号を、画像信号に変換し、制御部７０は、画像信号生成部５０が変換した画像信号を両接眼部３０Ｒ、３０Ｌに供給する。省エネ▲１▼モードにおいては、消費電力低減のために、左撮像ユニット２Ｌによる撮像動作が行われないが、右撮像部１０Ｒによって撮像された画像が右の撮像素子３３Ｒだけでなく、左撮像素子３３Ｌにも表示されるので、両目による観察ができるので、観察時の違和感がなく、観察にともなう眼の疲労度も低減できる。
【００３５】
操作部材８０ａを操作して省エネ▲１▼モードの位置から省エネ▲２▼モードを選択した場合、スイッチ部８０は、全部電源ＯＮ接点はＯＮ状態のまま、今度は片側撮像部／片側接眼部電源ＯＦＦ接点がＯＮ状態になり、これを制御部７０が検出し、省エネ▲２▼モードであることを認識する（図１１参照）。この場合、電子双眼鏡のうち、左撮像ユニット２Ｌの各部への電源供給が遮断される一方、右撮像ユニット２Ｒの各部と、画像信号生部５０と制御部７０について給電される。図１４は、この状態を示しており、給電されている部については実線で、給電されていない部については、破線で示している。画像信号生成部５０は、右撮像部１０Ｒからの電気信号を、画像信号に変換し、制御部７０は、画像信号生成部５０が変換した画像信号を右接眼部３０Ｒに供給する。
【００３６】
これにより、観察者の選択で、左撮像部１０Ｌと左接眼部３０Ｌへの給電及び左接眼部３０Ｌへの画像信号供給の制御を行うことが可能になり、両撮像部１０Ｒ、１０Ｌと両接眼部３０Ｒ、３０Ｌと画像信号生成部５０とに給電される通常モードに比べて、電力消費量を抑える効果が得られる。
【００３７】
次に、第３の実施形態を説明する。図１５〜１９に示すように、第１の実施形態と異なるところは、撮像部１０及び画像信号生成部５０が単一であり、単一の撮像部１０で得られた電気信号は、単一の画像信号生成部５０で、両接眼部３０Ｒ、３０Ｌで観察できる画像信号に変換する点である。以下、第１の実施形態と異なる点のみを説明する。
【００３８】
画像信号生成部５０の構成は、第１の実施形態と同じであり、単一の画像信号生成部５０が、単一の撮像部１０で変換された電気信号を、両接眼部３０Ｒ、３０Ｌで観察できる画像信号に変換する点で、左右の画像信号生成部が左右それぞれの電気信号の変換を行う第１の実施形態と異なる。
【００３９】
制御部７０の構成は、第１の実施形態と同じであり、単一の画像信号生成部５０で変換された画像信号を両接眼部３０Ｒ、３０Ｌに供給する機能を有する点で、制御部が、左右の画像信号生成部のそれぞれで変換された画像信号を、左右それぞれの接眼部に供給する第１の実施形態と異なる。
【００４０】
また、制御部７０は、スイッチ部８０のスイッチ接点状態に基づいて左接眼部３０Ｌに対して給電制御及び画像信号供給制御を行う機能を有する。
【００４１】
スイッチ部８０の構成は、第１の実施形態では、図３のように、ＯＦＦモード、ＯＮモード、省エネ▲１▼モード、省エネ▲２▼モードの４種類が選択可能なスイッチであるのに対して、第３の実施形態では、ＯＦＦモード、ＯＮモード、省エネモードの３種類になる点で異なる。図１５〜１６では、“通常モード”、及び“省エネモード”を“ＯＮ”、及び“省エネ”と省略している。観察者が操作部材８０ａを操作して、電源ＯＦＦの位置から通常モードを選択した場合、スイッチ部８０は、全部電源ＯＮ接点がＯＮ状態になり、これを制御部７０が検出し、通常モードであることを認識する（図１７参照）。この場合、電子双眼鏡の全ての部について、すなわち撮像部１０と両接眼部３０Ｒ、３０Ｌと画像信号生成部５０と制御部７０について給電される。図１８は、全ての部に給電されている電子双眼鏡の構成図である。
【００４２】
制御部７０によって、電源９０から各部への給電が行われた場合の、各部の動作は、単一の画像信号生成部５０が、単一の撮像部１０において撮像された電気信号を画像信号に変換し、制御部７０が変換した画像信号について両接眼部３０Ｒ、３０Ｌに供給する点が異なる他は、第１の実施形態と同様である。
【００４３】
操作部材８０ａを操作して、通常（ＯＮ）モードから省エネモードを選択した場合、スイッチ部８０は、全部電源ＯＮ接点はＯＮ状態のまま、さらに片側接眼部電源ＯＦＦ接点がＯＮ状態になり、これを制御部７０が検出し、省エネモードであることを認識する（図１７参照）。この場合、電子双眼鏡のうち、撮像部１０と右接眼部３０Ｒと画像信号生成部５０と制御部７０について給電される。図１９は、この状態を示しており、給電されている部については実線で、給電されていない部については、破線で示している。画像信号生成部５０は、撮像部１０からの電気信号を、画像信号に変換し、制御部７０は、画像信号生成部５０が変換した画像信号を右接眼部３０Ｒに供給する。
【００４４】
これにより、観察者の選択で、左接眼部３０Ｌへの給電及び画像信号供給の制御を行うことが可能になり、撮像部１０と両接眼部３０Ｒ、３０Ｌと画像信号生成部５０とに給電される通常モードに比べて、電力消費量を抑える効果が得られる。
【００４５】
上記の実施形態においては、右側の撮像部などへの給電を維持し、左側の撮像部などへの給電を遮断させて電力消費量を抑えることとしたが、左側の撮像部などへの給電を維持し、右側の撮像部などへの給電を遮断させて電力消費量を抑えることとしてもよい。
【００４６】
【発明の効果】
本発明は  上記のように、被観察物の光学像を記録することができかつ暗視にも有利な電子双眼鏡の利点を活かしつつ、通常の電子双眼鏡の使用時に比べて電力消費量を低く抑えることが可能になる機能を有する効果が得られる。
【図面の簡単な説明】
【図１】第１の実施形態における、撮像レンズ側からみた電子双眼鏡の斜視図である。
【図２】第１の実施形態における、接眼レンズ側からみた電子双眼鏡の斜視図である。
【図３】スイッチ部におけるスライド可能な操作部材８０ａのＯＦＦモード状態の上面図である。
【図４】スイッチ部におけるスライド可能な操作部材８０ａの通常モード状態の上面図である。
【図５】スイッチ部におけるスライド可能な操作部材８０ａの省エネ▲１▼モード状態の上面図である。
【図６】スイッチ部におけるスライド可能な操作部材８０ａの省エネ▲２▼モード状態の上面図である。
【図７】第１の実施形態における、スイッチ部で選択された給電モードを制御部が認識するスイッチ接点のブロック図である。
【図８】第１の実施形態における、通常モード状態の電子双眼鏡の構成図である。
【図９】第１の実施形態における、省エネ▲１▼モード状態の電子双眼鏡の構成図である。
【図１０】第１の実施形態における、省エネ▲２▼モード状態の電子双眼鏡の構成図である。
【図１１】第２の実施形態における、スイッチ部で選択された給電モードを制御部が認識するスイッチ接点のブロック図である。
【図１２】第２の実施形態における、通常モード状態の電子双眼鏡の構成図である。
【図１３】第２の実施形態における、省エネ▲１▼モード状態の電子双眼鏡の構成図である。
【図１４】第２の実施形態における、省エネ▲２▼モード状態の電子双眼鏡の構成図である。
【図１５】第３の実施形態における、撮像レンズ側からみた電子双眼鏡の斜視図である。
【図１６】第３の実施形態における、接眼レンズ側からみた電子双眼鏡の斜視図である。
【図１７】第３の実施形態における、スイッチ部で選択された給電モードを制御部が認識するスイッチ接点のブロック図である。
【図１８】第３の実施形態における、通常モード状態の電子双眼鏡の構成図である。
【図１９】第３の実施形態における、省エネモード状態の電子双眼鏡の構成図である。
【符号の説明】
１０Ｒ、１０Ｌ  撮像部
１１Ｒ、１１Ｌ  撮像レンズ
１３Ｒ、１３Ｌ  撮像素子
３０Ｒ、３０Ｌ  接眼部
３１Ｒ、３１Ｌ  接眼レンズ
３３Ｒ、３３Ｌ  表示素子
５０Ｒ、５０Ｌ  画像信号生成部
７０  制御部
８０  スイッチ部
９０  電源
【図１】
2004361779.tif 000003
【図２】
2004361779.tif 000004
【図３】
2004361779.tif 000005
【図４】
2004361779.tif 000006
【図５】
2004361779.tif 000007
【図６】
2004361779.tif 000008
【図７】
2004361779.tif 000009
【図８】
2004361779.tif 000010
【図９】
2004361779.tif 000011
【図１０】
2004361779.tif 000012
【図１１】
2004361779.tif 000013
【図１２】
2004361779.tif 000014
【図１３】
2004361779.tif 000015
【図１４】
2004361779.tif 000016
【図１５】
2004361779.tif 000017
【図１６】
2004361779.tif 000018
【図１７】
2004361779.tif 000019
【図１８】
2004361779.tif 000020
【図１９】
2004361779.tif 000021